(57)【特許請求の範囲】
【請求項１】
クロスからなる座部カバーであって、座部の下面を構成する座板上に載置されるウレタンフォームなどからなるクッション材の上面を覆う大きさの上面部と、この上面部の周囲に前記クッション材の厚みに相当する幅の縁部と、この縁部の端縁内面側にそっておかれ該縁部端縁に糸材により縫着して取り付けた薄板状の取付用芯材とを有し、
前記上面部、縁部、取付用芯材、および糸材を同種の材料により形成し、
前記座部カバーの後半周領域はその部位の縁部を内側に反転させて前記取付用芯材をくるんで前記座板の当該領域の周縁下面に形成された取付用溝に前記座板の面に対し垂直に差し込むように嵌着することによって取り付け、
前記座部カバーの前部領域はその部位の取付用芯材の係止孔に前記取付用芯材を前記座板の面に沿わせて前記座板側に突設された係止突起を下面側から嵌めつけて嵌着し座部カバーを座板に取付けるようにし、
前記クッション材は、前記座部カバーの前記縁部が前記クッション材の上面及び下面に対し直角状をなすように、形成されている
ことを特徴する椅子カバー取付構造。
【請求項２】
クロスからなる背部カバーであって、背もたれに設けられるウレタンフォーム等からなるクッション材を覆う大きさを有し、その上半部が背フレームの剛性を有する背板を前記クッション材と共に被覆し得るようその上端から被嵌可能なように周縁に縁部を有する袋状に形成するとともに前記背部カバーの下半部が前記クッション材の厚み相当の縁部のみを有するように形成し、
前記背部カバーには糸材により薄板状の取付用芯材を縫着して取り付け、
前記取付用芯材、糸材を前記背部カバーのクロスと同種の材料により形成し、
前記取付用芯材は、前記背部カバーの前記背板の上半部に被る後面側の下端縁内面側と前面側の下端縁内面側とに前記糸材により縫着して取り付けられており、
前記取付用芯材の係止孔に前記背板の内面に突設された係止突起を嵌着して背部カバーを背もたれに取付けるようにし、
前記後面側の前記下端縁内面側に取り付けられる前記取付用芯材が取り付けられる前記背板の部位は、前記背部カバーの前記後面側が平坦になるように前記取付用芯材が前記背板の前記部位に埋め込み可能に、凹んで形成されている
ことを特徴とする椅子カバー取付構造。
【発明の詳細な説明】
【０００１】
【発明の属する技術分野】
本発明は事務用椅子に係り、特に椅子カバーの取付け構造に関する。
【０００２】
【従来の技術】
事務用椅子をはじめその他の用途に使用する椅子においては、身体の当りを柔らげるため座部および背もたれにはウンタンフォーム等の弾力性のある資材により形成されたクッション材を設置して椅子カバーで覆うようにされている。
【０００３】
近時の椅子カバーは、高級感を与えるうえから布製（クロス）が用いられるようになっている。そしてこの椅子カバーはクッション材と一体として形成され、座フレームおよび背フレームに取付けられている。
【０００４】
【発明が解決しようとする課題】
しかるに上記従来の構造では、椅子を廃棄するとき椅子本体からクッション材と椅子カバーとを分別して廃棄することが難しく、資源として再利用するうえにおいて問題となっている。
【０００５】
また椅子カバーが汚れたり破れたりしたような場合に椅子カバーだけを新しいものと交換することが難しく、メンテナンスのうえで問題があった。
【０００６】
本発明は、椅子本体と椅子カバーのクロスとを分別しやすい構造とし、かつ椅子カバーを構成するクロスとこの椅子カバーを座フレームおよび背フレームに取付けるための取付用芯材とを同種類の材質のものとして分別後の処理を容易とし、資源としての再利用をし易くすると同時に椅子カバーの交換を容易とすることを課題としてなされたものである。
【０００７】
【課題を解決するための手段】
上記課題を解決する手段として本発明は、クロスからなる座部カバーおよび背部カバーを有する椅子カバーであって、座部および背もたれのウレタンフォームなどからなるクッション材の厚みに相当する縁部を設け、この縁部の端縁内面側に前記クロスと同種の材料からなる薄板状の取付用芯材を該クロスと同種の材料からなる糸材により止着し、前記取付用芯材により座部および背もたれに取付けるようにしたことを特徴とする。
【０００８】
座部カバーは、座部の下面を構成する座板上に載置されるウレタンフォームなどからなるクッション材の上面を覆う大きさの上面部と、この上面部の周囲に前記クッション材の厚みに相当する幅の縁部と、この縁部の端縁内面側にそっておかれ該縁部端縁に糸材により縫着された薄板状の取付用芯材とを有し、前記上面部、縁部、取付用芯材、および糸材を同種の材料により形成し、前記座部カバーの後半周領域はその部位の縁部を内側に反転させて前記芯材をくるんで前記座板の当該領域の周縁下面に形成された取付用溝に嵌着し、前記座部カバーの前部領域はその部位の取付用芯材の係止孔の前記座板側に突設された係止突起を嵌着して座部カバーを座板に取付けるようにされる。
【０００９】
背部カバーは、背もたれに設けられるウレタンフォーム等からなるクッション材を覆う大きさを有し、その上半部が背フレームの剛性を有する背板を前記クッション材と共に被覆し得るようその上端から被嵌可能なように周縁に縁部を有する袋状に形成し、前記背部カバーには糸材により薄板状の取付用芯材を縫着し、前記取付用芯材、糸材を前記背部カバーのクロスと同種の材料により形成し、前記取付用芯材の係止孔に前記背板の内面に突設された係止突起を嵌着して背部カバーを背もたれに取付けるようにされる。
【００１０】
前記クロスにポリエステル製のものを用いた場合には、取付用芯材および糸材も同種のＰＥＴで形成されたものが用いられる。したがって座板および背板に椅子カバーが固着されていないので椅子の廃棄時に剥すことが容易であり、メンテナンス性を向上し、かつ椅子カバーを分離したのちはクロスから取付用芯材、糸材を分離させずともこれらを一括して同一処理することができるので資源として再利用時の処理が容易になる。
【００１１】
【発明の実施の形態】
以下、本発明を図面に示す実施の形態を参照して説明する。
【００１２】
図１は本発明を適用する椅子１の一実施形態の外観を示し、図２は同座部下面を示している。
【００１３】
上記椅子１は脚２に支持された受台３上に設けられる座フレーム４上に取付けられた座部５と、前記受台３に後傾自在に枢支された背フレーム６を有する背もたれ７と、前記座フレーム４の両側に取付けられた左右の肘掛け８とで構成され、前記脚２の上端内部には従来と同様に座部５の高さ調節用のガススプリング（図示せず）が内蔵されており、脚２の足９，９…の先端下面にはキャスタ１０，１０…が取付けられている。
【００１４】
前記背フレーム６は側面視略Ｌ形状を有し、その下部の前方に向けて延びる下部フレーム６ａは長く形成されていて前記受台３の脚２に嵌合する脚受部と前記座部５の前端との間の略中間位置で下部フレーム６ａの先端が受台３に軸１１により上下方向回動自在に枢支されている。
【００１５】
前記受台３の前端左右部には後方に向け下り傾斜する長孔１２，１２を有するブラケット１３が設けられ、これら長孔１２，１２には前記座フレーム４の前端近くの下部幅方向に固設された軸１４が挿通されており、この軸１４が長孔１２の長さ分だけ後方に後退し得るようになっている。
【００１６】
前記背フレーム６を枢支する軸１１には左右一対のコイルバネ（図示せず）が巻装され、これらコイルバネは前記受台３の前部下面に螺挿された調整ネジ１５の回動によりバネによる反力の強さが調整されるようになっている。
【００１７】
前記座部５の座部カバー１６は、座部５の下面を構成する座板１７上に置かれる所定形状にモールド成形されたウレタンフォーム等の弾性資材からなるクッション材１８を被包して前記座板１７の周縁に係着されるようになされており、ポリエステル等を素材とするクロス製のものである。
【００１８】
図４に断面図を示すように、前記クッション材１８の上面を覆う大きさの上面部１６ａと、この上面部１６ａの周囲に前記クッション材１８の厚みに相当する幅の縁部１６ｂと、この縁部１６ｂの端縁内面側にそって該端縁１６ｂに糸材１９により縫着された薄板状の可撓性を有する取付用芯材２０とで構成され、前記上面部１６ａ、縁部１６ｂ、取付用芯材２０、および糸材１９はすべて同種の材料（例えばＰＥＴ）で形成されている。
【００１９】
前記座部カバー１６の左右両側部から後部を巡る後半周領域はその範囲の縁部１６ｂを内側に反転させて前記取付用芯材２０をくるむようにして図２に示すように前記座板１７の当該領域の下面に形成された取付用溝２１に図４（Ａ）のように嵌着することにより取付けられ、また座部カバー１６の前部領域の取付用芯材２２は前記座板１７の前部下面に下向きに突設されたすり割り付きの係止突起２３，２３…に嵌着する係止孔２４，２４…が形成され、この係止孔２４，２４…を図４（Ｂ）のように前記係止突起２３，２３…に下面側から嵌めつけることにより取付けられるようになっている。
【００２０】
したがって座部カバー１６を座板１７に止具類を用いることなくかつ妄りに外れることなく取付けることができ、外すときも取付用溝２１および係止突起２３，２３…から引き外すことにより座部カバー１６を椅子から分離することができる。
【００２１】
背もたれ７を被包する背部カバー２５は、図５〜図７に示すように背フレーム６の後面側に固定される樹脂製の剛性を有する背板２６の前面側に設けられる所定形状にモールド成形されたウレタンフォーム等の弾性資材からなるクッション材２７の前面（背中が当る側）の全域および前記背板２６の上半部を覆う大きさを有するもので、前記座部カバー１６と同材質のクロス製のものである。
【００２２】
上記背部カバー２５はその上半部が前記のようにクッション材２７と背板２６とを含んで上方から被嵌し得るよう袋状に形成され、下半部はクッション材２７の厚み相当の縁部２７ａのみを有している。また前記背板２６は、側面視において緩やかなくの字状に形成され、左右両側部には前記クッション材２７を受容し得るよう縁部２６ａ，２６ａが前方に向けて突設されている。
【００２３】
前記背部カバー２５の前記背板２６の上半部に被る後面側の下端縁内面側と、同上方部内面と、前面側の下端縁内面側とに該背部カバー２５と同材質の材料（例えばＰＥＴ）からなる薄板状の可撓性を有する取付用芯材２８，３０が背部カバー２５と同材質の糸材により縫着されている。なお取付用芯材２９はクッション材２７側に取付けられている。
【００２４】
前記取付用芯材２８には、背板２６の上下方向中間位置に横方向に列設された取付孔３１，３１…に挿着される鉤状の取付用突起３２，３２…が設けられ、上部の取付用芯材２９には背板２６の内面上部中央位置に突設された取付用突起３３が挿着される取付孔３４および背板２６のリブ２６ｂに穿設された取付孔３５，３５に掛止するフック状の取付用突起３６，３６が設けられている。さらに下端の取付用芯材３０には、背板２６の内面下端に突設された取付用突起３７，３７が挿着される取付孔３８，３８が穿設されている。
【００２５】
したがって図７に断面を示すように、背部カバー２５の上方の袋状部分を背板２６の上方からクッション材２７を含んで被せ、上部の取付用芯材２９の取付孔３４を取付用突起３３に挿着するとともにフック状の取付用突起３６，３６を取付孔３５，３５に係着する。
【００２６】
また中間位置となる取付用芯材２８の取付用突起３２，３２…を背板２６の取付孔３１，３１…に挿着し、下端の取付用芯材３０の取付孔３８，３８に背板２６の取付用突起３７，３７を挿着して取付ける。
【００２７】
これにより背もれた７を構成するクッション材２７の前面側および背板２６の上半部は背部カバー２５で覆われ、背板２６の下半部の背面は露出した状態におかれ、椅子１のデザインの一構成要素として生かされる。
【００２８】
この背部カバー２５についても取付用芯材２８，２９，３０を背板２６から引き外すことにより背部カバー２５を椅子から分離することができる。
【００２９】
【発明の効果】
以上説明したように本発明によれば、座部カバーおよび背部カバーを止具を用いることなく椅子の座板および背板に取付けるので、椅子の廃棄時における椅子カバーの取外しが容易迅速にでき、また取外した後はカバー素材、取付用芯材、およびこれを取付ける糸材がすべて同一種の材料で構成されているので後処理時にこれらを分別する必要がなく、そのまま再生資源とするための処理ができ、後処理を極めて容易にすることができる。さらに椅子カバーが損傷した場合の交換も容易にすることができる。
【図面の簡単な説明】
【図１】本発明を適用する椅子の一例を示す側面図。
【図２】図１における座部の座板の下面図。
【図３】本発明による座部カバーの幅方向の断面図。
【図４】座部カバーと座板との後半周領域の取付状態を示すもので、（Ａ）は後半周部、（Ｂ）は前部の各断面図。
【図５】（Ａ）は背部カバー、（Ｂ）は背板の斜視図。
【図６】図５（Ａ）の反対面側からみた図で、背部カバーの半部を切除した斜視図。
【図７】背部カバーを背もたれに被着した状態を示す断面図。
【符号の説明】
１  椅子
３  受台
４  座フレーム
５  座部
６  背フレーム
７  背もたれ
１６  座カバー
１７  座板
１８，２７  クッション材
２０，２２，２８，２９，３０  取付用芯材
２１  取付用溝
【図１】
0004386998.tif 000002
【図２】
0004386998.tif 000003
【図３】
0004386998.tif 000004
【図４】
0004386998.tif 000005
【図５】
0004386998.tif 000006
【図６】
0004386998.tif 000007
【図７】
0004386998.tif 000008